(57)【要約】【課題】ロール状媒体は製造から使用までの間に長い時間が経過しており、その間に生じたカール癖は強固なものとなり、上述したような従来技術では、そのカール癖の除去効果は確実なものにはならないというという問題がある。【解決手段】ロール状媒体２Ａのカール癖と反対の方向に湾曲する形状とした外側ガイド１０の内側に内側ガイド１１を設けて媒体案内部１３を構成し、この媒体案内部１３を排出ローラ７と繰出しローラ６の間に配置し、ロール状媒体２Ａを所望の長さに切断した後にその切断された紙葉状媒体を、前記媒体案内部１３を通過させるようにしたことを特徴とする。【選択図】図１
2010070377.tif 000002
【特許請求の範囲】
【請求項１】
ロール状媒体のカール癖と反対の方向に湾曲する形状とした外側ガイドの内側に間隔をあけて内側ガイドを設けて媒体案内部を構成し、この媒体案内部を排出ローラと繰出しローラの間に配置し、ロール状媒体を所望の長さに切断した後にその切断された紙葉状媒体を、前記媒体案内部を通過させて媒体集積部に排出するようにしたことを特徴とする媒体処理装置。
【請求項２】
請求項１において、排出ローラの回転速度を繰出しローラの回転速度より速くしたことを特徴とする媒体処理装置。
【請求項３】
請求項１において、内側ガイドに曲率の小さい凸部を突出形成したことを特徴とする媒体処理装置。
【請求項４】
請求項１において、媒体集積部の底部を凹状にしたことを特徴とする媒体処理装置。
【発明の詳細な説明】
【技術分野】
【０００１】
本発明は、ロール状の媒体をカットして用いることができるようにする媒体処理装置に関する。
【背景技術】
【０００２】
従来のこの種の媒体処理装置を図６を用いて説明する。図において、２１はロール紙、２２はこのロール紙収納部、２３はカール癖を直すガイド、２４はロール紙を繰り出すプラテンローラ、５は印字記録装置である。
このような構成によると、プラテンローラ２４によってロール紙２１を繰り出す際に、ガイド２３によってロール状態によって生じるカール癖の方向と反対の方向にカールさせることによりカール癖を直すようにしている（例えば、特許文献１参照）。
【特許文献１】実開平５−８５６５２号公報
【発明の開示】
【発明が解決しようとする課題】
【０００３】
しかしながら、ロール状媒体は製造から使用までの間に長い時間が経過しており、その間に生じたカール癖は強固なものとなり、上述したような従来技術では、そのカール癖の除去効果は確実なものにはならないというという問題がある。
また、上記従来技術ではロール状媒体は長いままの状態で使用されるために媒体に多少のカールがあっても大した障害にならないが、切断された紙葉状媒体の場合にはカール癖は取扱上大きな障害となるという問題がある。
【０００４】
本発明は、このような問題を解決することを課題とする。
【課題を解決するための手段】
【０００５】
そこで本発明は、ロール状媒体のカール癖と反対の方向に湾曲する形状とした外側ガイドの内側に間隔をあけて内側ガイドを設けて媒体案内部を構成し、この媒体案内部を排出ローラと繰出しローラの間に配置し、ロール状媒体を所望の長さに切断した後にその切断された紙葉状媒体を、前記媒体案内部を通過させるようにしたことを特徴とする。
【発明の効果】
【０００６】
このようにした本発明は、ロール状媒体を切断した後にロール状に巻かれていたことによって生じるカール癖のある紙葉状媒体を、強制的に逆方向にカールさせて矯正した紙葉状媒体とすることができるという効果が得られる。
【発明を実施するための最良の形態】
【０００７】
以下、図面を参照して本発明による実施例を説明する。
【実施例】
【０００８】
図１は実施例を示す説明図である。図において、１はロール状媒体２Ａを所定の長さで切断して紙葉状媒体２Ｂとして繰り出し、その繰り出した紙葉状媒体２Ｂを媒体集積部１４に集積する媒体処理装置である。
３はロール状媒体２Ａの収納部、４はプリンタユニット、５はカッタ部であり、ロール状媒体２Ａを繰り出しプリンタユニット４で印字した後、カッタ部５で所定の長さの紙葉状媒体２Ｂに切断する。
【０００９】
６は切断された紙葉状媒体２Ｂの繰出しローラ、７は排出ローラであり、この排出ローラ７の回転速度は繰出しローラ６の回転速度より速く設定してある。
８は前記繰出しローラ６と排出ローラ７を駆動するモータ、９はこのモータ８の動力を前記繰出しローラ６と排出ローラ７に伝達するベルトである。
１０は切断された紙葉状媒体２Ｂのカール癖と反対の方向に湾曲する外側ガイドであり、繰出しローラ６と排出ローラ７間に配置されている。
【００１０】
１１は前記外側ガイド１０の湾曲の内側に間隔をあけて配置した凸曲面状や両端部間を直線状や曲線状に形成した内側ガイドであり、排出ローラ７側に曲率の小さい凸部１２が突出するように形成してある。この内側ガイド１１と前記外側ガイド１０とによって媒体案内部１３が構成される。なお、この内側ガイド１１の凸部１２の位置は図に示す如く、排出ローラ７に近い箇所に設けるとよいが、必ずしもその箇所に限定されるものではなく、図５に示す如く、排出ローラ７から離れた位置であってもよい。
【００１１】
１４はカール癖が矯正された紙葉状媒体２Ｂを集積する媒体集積部であり、カール癖が矯正された紙葉状媒体２Ｂの元のカール癖が戻らないように逆カールの状態を保つように底部１５に凹状に形成されている。
なお、上記説明では図示もなく、構成でも説明していないが、ロール状媒体２Ａとプリンタユニット４との間やプリンタユニット４と繰出しローラ６の間等には媒体の搬送を案内するための媒体案内用のガイドが設けてある。
【００１２】
上述した構成の作用について図２、図３を用いて説明する。
図示しない媒体発行指示により、プリンタユニット４でロール状媒体２Ａを所定の長さを搬送し、プリンタユニット４で印字した後、カッタ部５で所定の長さの紙葉状媒体２Ｂに切断する。
切断された紙葉状媒体２Ｂは、繰出しローラ６によって外側ガイド１０と内側ガイド１１とにより形成される媒体案内部１３に案内されて搬送される。
【００１３】
排出ローラ７が紙葉状媒体２Ｂをクランプすると、内側ガイド１１に接触して繰出しローラ６と排出ローラ７との両方のローラにクランプされた状態となる。
そこで、排出ローラ７の回転速度の方が繰出しローラ６の回転速度より速くしてあるために、排出ローラ７に引かれる紙葉状媒体２Ｂは引っ張られた状態で内側ガイド１１の少なくとも両端部に密着した状態で滑りながら搬送され、これによってカール癖が矯正されると共にさらに曲率の小さい凸部１２によってしごくように搬送されることによりカール癖は強制的に矯正される。したがって、排出ローラ７と繰出しローラ６の回転速度の違いの程度によって紙葉状媒体２Ｂが凸部１２によりしごかれる具合が変わることになり、この回転速度の違いの具合の設定によって矯正のレベルを設定することができる。
【００１４】
このようにロール状媒体２Ａを切断した後に、カール癖が強制的に矯正された紙葉状媒体２Ｂは、図４、図５に示す如く、元のカール癖が戻らないように矯正した逆カールの状態を保つようにした媒体集積部１４の凹状の底部１５に集積される。
以上によってカール癖を直す逆カールが経時変化することによって平坦な紙葉状媒体２Ｂとすることができることになる。
【００１５】
以上説明した実施例はロール状媒体のカール癖を直す場合で説明したが、ロール状媒体に限らず、紙葉状媒体でカール癖がある場合にそのカール癖を直す場合等にも適用が可能である。
以上説明した本実施例によると、ロール状媒体を切断した後にロール状によって生じるカール癖を、強制的に逆方向にカールさせ、しかも媒体集積部において、逆カール状態を保つようにしたことにより元のカール癖が戻ることがなく矯正された紙葉状媒体とすることができることになる。
【図面の簡単な説明】
【００１６】
【図１】実施例を示す説明図
【図２】作用状態の説明図
【図３】作用状態の説明図
【図４】作用状態の説明図
【図５】作用状態の説明図
【図６】従来例を示す説明図
【符号の説明】
【００１７】
１  媒体処理装置
２Ａ  ロール状媒体
２Ｂ  紙葉状媒体
３  収納部
４  プリンタユニット
５  カッタ部
６  繰出しローラ
７  排出ローラ
８  モータ
９  ベルト
１０  外側ガイド
１１  内側ガイド
１２  凸部
１３  媒体案内部
１４  媒体集積部
１５  底部
【図１】
2010070377.tif 000003
【図２】
2010070377.tif 000004
【図３】
2010070377.tif 000005
【図４】
2010070377.tif 000006
【図５】
2010070377.tif 000007
【図６】
2010070377.tif 000008